(57)【要約】【課題】構造が簡易で安定した導通を得られるカード検出スイッチを備えたカードコネクタを提供する。【解決手段】カードコネクタ１００は、信号用接点部を有するカードを収納可能な収納空間１０ａを有するハウジング１０と、信号用接点部に接触可能な端子３と、接離可能な第１接点部材４と第２接点部材５とを有する検出スイッチ部５０と、を備え、検出スイッチ部５０は、カードが未挿入時に第１接点部材４と第２接点部材５とが接触しており、第１接点部材４は、カードの挿入方向に対して平行な仮想平面に沿って弾性変形可能であるとともに、収納空間１０ａ内に突出するように配置され、カードの挿入にともない第１接点部材４が移動し、第１接点部材４と第２接点部材５とが離間するカードコネクタであって、第２接点部材５は、第１接点部材４に弾接するように、仮想平面に対して交わる方向に弾性変形可能に支持されている構成とした。【選択図】図１２
2015109231.tif 000002
【特許請求の範囲】
【請求項１】
信号用接点部を有するカードを収納可能な収納空間を有するハウジングと、
前記信号用接点部に接触可能な端子と、
接離可能な第１接点部材と第２接点部材とを有する検出スイッチ部と、を備え、
前記検出スイッチ部は、前記カードが未挿入時に前記第１接点部材と前記第２接点部材とが接触しており、
前記第１接点部材は、前記カードの挿入方向に対して平行な仮想平面に沿って弾性変形可能であるとともに、前記収納空間内に突出するように配置され、
前記カードの挿入にともない前記第１接点部材が移動し、第１接点部材と第２接点部材とが離間するカードコネクタであって、
前記第２接点部材は、前記第１接点部材に弾接するように、前記仮想平面に対して交わる方向に弾性変形可能に支持されていることを特徴とするカードコネクタ。
【請求項２】
前記カードが未挿入の状態では、前記第２接点部材は前記収納空間内に突出して前記第１接点部材に弾接するとともに、
前記カードが挿入された状態では、前記第２接点部材は前記カードに当接し下方へ撓むことを特徴とする請求項1に記載のカードコネクタ。
【請求項３】
前記カードが挿入された状態において、前記カードの前記信号用接点部を避けた位置に接触するように前記第２接点部材は配置されていることを特徴とする請求項１または請求項２に記載のカードコネクタ。
【請求項４】
前記信号用接点部を避けた位置にグランド用接点部を有する前記カードが挿入された状態において、前記グランド用接点部に接触するように前記第２接点部材は配置されていることを特徴とする請求項１ないし請求項３のいずれかに記載のカードコネクタ。
【発明の詳細な説明】
【技術分野】
【０００１】
本発明は、カードコネクタに関し、特に、ノーマルクローズ型のカード検出スイッチを備えたカードコネクタに関するものである。
【背景技術】
【０００２】
昨今、各種電子機器には、電子データの記録、読み込みが可能なカード型の記録媒体（以後、カードと示す）との接続用のコネクタであるカードコネクタが搭載された製品が多い。カードコネクタには、カードが挿入されているか否かの検出を行なうカード検出スイッチを備えたものがある。このようなカード検出スイッチには、可動接点部材と固定接点部材を備え、カードが未挿入の状態においては可動接点部材と固定接点部材とが接触し、カードが挿入されると可動接点部材と固定接点部材とが離間することで、カードの挿入を検出するノーマルクローズ型のカード検出スイッチがある。このようなノーマルクローズ型のカード検出スイッチを備えたカードコネクタとしては、下記の特許文献１に記載のカードコネクタが知られている。
【０００３】
以下、図１６を用いて、特許文献１に記載のカードコネクタ９００について説明する。図１６は特許文献１に記載のカードコネクタ１００が備える検知スイッチ９１０を示す図であり、図１６（ａ）は検知スイッチ９１０の外観を示す斜視図であり、図１６（ｂ）は図１６（ａ）に示すＹ２方向側から見た状態の検知スイッチ９１０を示す平面図である。
【０００４】
特許文献１に記載のカードコネクタ９００は、カード検出スイッチである検知スイッチ９１０を備えている。検知スイッチ９１０はカードにより直接に押圧され回動操作される絶縁性のレバー９１１と、レバー９１１を初期姿勢の方向に付勢する金属線材を筒状に巻いたコイル部９１４ａを有するトーションスプリング９１４と、レバー９１１と一体的に回動しハウジング本体９０３の底部９０３ａに対して摺接するトーションスプリング９１４と一体の可動導電部９１５と、ハウジング９０２の前端で底部９０３ａに対し起立しトーションスプリング９１４を介して可動導電部９１５と常時導通した第１固定導電部９１６と、可動導電部９１５の回動範囲内で底部９０３ａ側に第２固定導電部９１７Ａ，９１７Ｂおよび絶縁部９１８とを有する。可動導電部９１５はレバー９１１と一体的に挿入方向に回動し、第２固定導電部９１７Ａ、絶縁部９１８、第２固定導電部９１７Ｂに順次接触する。カードの挿入に伴いレバー９１１が回動すると、可動導電部９１５がレバー９１１の回動に連動して接触箇所を変えることで可動導電部９１５の電気的な接続状態が切り換わる。このように可動導電部９１５の電気的な接続状態が切り換えることでカードの挿入状態を検知することができ、カード検知スイッチとして機能する。
【先行技術文献】
【特許文献】
【０００５】
【特許文献１】特開２０１０−１５８７６号公報
【発明の概要】
【発明が解決しようとする課題】
【０００６】
構造のカード検出スイッチにおいては、安定した導通が得られることが求められる。安定した導通を得るためには、可動側の接点部材の撓み量を大きくし、衝撃が加わっても撓みで吸収する構成が取られることが多い。しかしながら、特許文献１に記載のカードコネクタ９００の検知スイッチ９１０においては、可動導電部９１５とトーションスプリング９１４が一体となっているため、可動導電部９１５の撓み量を大きくしたとしてもトーションスプリング９１４が傾き、十分な接圧を得にくいという課題があった。トーションスプリング９１４はコイル部９１４ａにレバー９１１の軸部９１１ｃが挿通されることで保持されており、コイル部９１４ａと軸部９１１ｃとの隙間の分だけ傾くためである。仮にコイル部９１４ａと軸部９１１ｃとの隙間をなくしたとしても、軸部９１１ｃを傾ける力が掛かるためレバー９１１の動きが悪くなることが懸念される。また、軸部９１１ｃを傾かないようにするには構造が複雑になることが懸念される。
【０００７】
本発明は、上述した課題を解決して、構造が簡易で安定した導通を得られるカード検出スイッチを備えたカードコネクタを提供するものである。
【課題を解決するための手段】
【０００８】
請求項１に記載のカードコネクタにおいては、信号用接点部を有するカードを収納可能な収納空間を有するハウジングと、前記信号用接点部に接触可能な端子と、接離可能な第１接点部材と第２接点部材とを有する検出スイッチ部と、を備え、前記検出スイッチ部は、前記カードが未挿入時に前記第１接点部材と前記第２接点部材とが接触しており、前記第１接点部材は、前記カードの挿入方向に対して平行な仮想平面に沿って弾性変形可能であるとともに、前記収納空間内に突出するように配置され、前記カードの挿入にともない前記第１接点部材が移動し、第１接点部材と第２接点部材とが離間するカードコネクタであって、前記第２接点部材は、前記第１接点部材に弾接するように、前記仮想平面に対して交わる方向に弾性変形可能に支持されている、という特徴を有する。
【０００９】
請求項２に記載のカードコネクタにおいては、前記カードが未挿入の状態では、前記第２接点部材は前記収納空間内に突出して前記第１接点部材に弾接するとともに、前記カードが挿入された状態では、前記第２接点部材は前記カードに当接し下方へ撓む、という特徴を有する。
【００１０】
請求項３に記載のカードコネクタにおいては、前記カードが挿入された状態において、前記カードの前記信号用接点部を避けた位置に接触するように前記第２接点部材は配置されている、という特徴を有する。
【００１１】
請求項４に記載のカードコネクタにおいては、前記信号用接点部を避けた位置にグランド用接点部を有する前記カードが挿入された状態において、前記グランド用接点部に接触するように前記第２接点部材は配置されている、という特徴を有する。
【発明の効果】
【００１２】
請求項１の発明によれば、第１接点部材は、仮想平面に沿った方向にのみ弾性変形し、第２接点部材は仮想平面に対して交わる方向にのみ弾性変形するようにした。すなわち、第１接点部材および第２接点部材がそれぞれ一方向にのみ弾性変形するようにした。そのため、例えば、第１接点部材および第２接点部材を板ばね状にすることもでき、簡易に形成することが可能となる。また、第１平面に沿って弾性変形可能な第１接点部材と、第１平面に対して交わる方向へ弾性変形可能な第２接点部材とを用いて検出スイッチ部を構成することで、第１接点部材と第２接点部材との安定した接触を得るために撓み量を大きくしたとしても、第１接点部材および第２接点部材の動作を妨げることなく簡易な構造とすることができる。したがって、構造が簡易で安定した導通を得られるカード検出スイッチを備えたカードコネクタを提供することができる、という効果を奏する。
【００１３】
請求項２の発明によれば、第２接点部材はカードに当接して下方へ撓む構造とすることで、第２接点部材の自由高さを第１接点部材との安定した導通を得るために必要な高さに設定したとしても、カードの挿抜に影響を与えない。また、第２接点部材の撓み量を増やしたとしてもカードコネクタの高さ方向の寸法を高くする必要も無い。したがって、安定した導通を得られるカード検出スイッチを備え、薄型のカードコネクタを提供することができる、という効果を奏する。
【００１４】
請求項３の発明によれば、信号用接点部を避けた位置に接触するように第２接点部材を配置することで、第２接点部材がカードに接触したとしても信号伝送に影響を与えないようにすることができる、という効果を奏する。
【００１５】
請求項４の発明によれば、信号用接点部以外の樹脂部等の位置や面積が第２接点部材を接触させるのに不都合があっても、グランド用接点部に接触するように第２接点部材を配置することで、第２接点部材がカードに接触したとしても信号伝送に影響を与えないようにすることができる、という効果を奏する。
【００１６】
以上より、本発明によれば、構造が簡易で安定した導通を得られるカード検出スイッチを備えたカードコネクタを提供することができる。
【図面の簡単な説明】
【００１７】
【図１】第１実施形態におけるカードコネクタ１００の構成を示す分解斜視図である。
【図２】第１実施形態におけるカードコネクタ１００およびカードＣＡの外観を示す斜視図である。
【図３】第１実施形態におけるカードＣＡの外観を示す図であり、図３（ａ）はカードＣＡの外観を示す斜視図であり、図３（ｂ）は図３（ａ）のＺ２方向側から見た状態のカードＣＡを示す平面図である。
【図４】第１実施形態におけるスライダ７の外観を示す図であり、図４（ａ）はスライダ７の外観を示す斜視図であり、図４（ｂ）は図４（ａ）に示すＺ１方向側から見た状態のスライダ７を示す平面図である。
【図５】第１実施形態におけるケース１の外観を示す図であり、図５（ａ）はケース１の外観を示す斜視図であり、図５（ｂ）は図５（ａ）に示すＺ１方向側から見た状態のケース１を示す平面図である。
【図６】第１実施形態における端子３および第２接点部材５の配置を示す平面図である。
【図７】第１実施形態における第２接点部材５の外観を示す斜視図であり、図５（ａ）に示すＡ部を拡大した図である。
【図８】第１実施形態における第２接点部材５の外観を示す斜視図であり、図８（ａ）は図７に示すＺ１方向側から見た状態の第２接点部材５を示す平面図であり、図８（ｂ）は図８（ａ）に示す断面Ｂ−Ｂを示す断面図である。
【図９】第１実施形態における第１接点部材４の外観を示す図であり、図９（ａ）は第１接点部材の外観を示す斜視図であり、図９（ｂ）は第１接点部材を板ばね部材４ａと当接部材４ｂとに分解した状態を示す分解斜視図である。
【図１０】第１実施形態における第１接点部材４の外観を示す図であり、図１０（ａ）は図９（ａ）に示すＺ１方向側から見た状態の第１接点部材４を示す平面図であり、図１０（ｂ）は図９（ａ）に示すＸ１方向側から見た状態の第１接点部材４を示す側面図である。
【図１１】第１実施形態におけるカードコネクタ１００の構成を示す平面図である。
【図１２】第１実施形態においてカードＣＡが未挿入時の第１接点部材４と第２接点部材５との接触状態を示す図であり、図１２（ａ）は図１１に示すＣ部を拡大した図であり、図１２（ｂ）は図１２（ａ）に示す断面Ｄ−Ｄを示す断面図である。
【図１３】第１実施形態におけるカードＣＡが挿入途中の状態のカードコネクタ１００を示す平面図である。
【図１４】第１実施形態におけるカードＣＡが収納された状態のカードコネクタ１００を示す平面図である。
【図１５】第１実施形態においてカードＣＡを収納時の第１接点部材４と第２接点部材５との位置関係を示す図であり、図１５（ａ）は図１４に示すＥ部を拡大した図であり、図１５（ｂ）は図１５（ａ）に示す断面Ｆ−Ｆを示す断面図である。
【図１６】特許文献１に記載のカードコネクタ１００が備える検知スイッチ９１０を示す図であり、図１６（ａ）は検知スイッチ９１０の外観を示す斜視図であり、図１６（ｂ）は図１６（ａ）に示すＹ２方向側から見た状態の検知スイッチ９１０を示す平面図である。
【発明を実施するための形態】
【００１８】
［第１実施形態］
以下に第１実施形態におけるカードコネクタ１００について説明する。
【００１９】
まず始めに本実施形態におけるカードコネクタ１００の構成について図１ないし図１０を用いて説明する。図１は第１実施形態におけるカードコネクタ１００の構成を示す分解斜視図である。図２は第１実施形態におけるカードコネクタ１００およびカードＣＡの外観を示す斜視図である。図３は第１実施形態におけるカードＣＡの外観を示す図であり、図３（ａ）はカードＣＡの外観を示す斜視図であり、図３（ｂ）は図３（ａ）のＺ２方向側から見た状態のカードＣＡを示す平面図である。図４は第１実施形態におけるスライダ７の外観を示す図であり、図４（ａ）はスライダ７の外観を示す斜視図であり、図４（ｂ）は図４（ａ）に示すＺ１方向側から見た状態のスライダ７を示す平面図である。図５は第１実施形態におけるケース１の外観を示す図であり、図５（ａ）はケース１の外観を示す斜視図であり、図５（ｂ）は図５（ａ）に示すＺ１方向側から見た状態のケース１を示す平面図である。図６は第１実施形態における端子３および第２接点部材５の配置を示す平面図である。図７は第１実施形態における第２接点部材５の外観を示す斜視図であり、図５（ａ）に示すＡ部を拡大した図である。図８は第１実施形態における第２接点部材５の外観を示す斜視図であり、図８（ａ）は図７に示すＺ１方向側から見た状態の第２接点部材５を示す平面図であり、図８（ｂ）は図８（ａ）に示す断面Ｂ−Ｂを示す断面図である。図９は第１実施形態における第１接点部材４の外観を示す図であり、図９（ａ）は第１接点部材の外観を示す斜視図であり、図９（ｂ）は第１接点部材を板ばね部材４ａと当接部材４ｂとに分解した状態を示す分解斜視図である。図１０は第１実施形態における第１接点部材４の外観を示す図であり、図１０（ａ）は図９（ａ）に示すＺ１方向側から見た状態の第１接点部材４を示す平面図であり、図１０（ｂ）は図９（ａ）に示すＸ１方向側から見た状態の第１接点部材４を示す側面図である。
【００２０】
カードコネクタ１００は、図１に示すように、ケース１とカバー２とからなるハウジング１０と、端子３と、第１接点部材４と第２接点部材５とを有する検出スイッチ部５０と、ラッチピン６と、スライダ７と、付勢部材８とを備えている。また、カードコネクタ１００は、図２に示すように、ハウジング１０の収納空間１０ａにカードＣＡを挿抜可能に構成されている。
【００２１】
先ず初めに、カードコネクタ１００の構成部品ではないが、カードコネクタ１００に収納可能なカードＣＡについて説明する。カードＣＡは、図３に示すように、カードコネクタ１００と電気的に接続可能な信号用接点部ＳＴを備え、本実施形態においては、信号用接点部ＳＴは、カードの裏面側に、所定の間隔で１列に３つ配置されるとともに、カードＣＡの挿入方向（Ｙ１−Ｙ２方向）の先端側（Ｙ１方向側）と後端側（Ｙ２方向側）とに一列ずつ配置されている。
【００２２】
次に、カードコネクタ１００の構成部品について説明する。先ず、付勢部材８は金属線材からなり、図１に示すような、コイルばねである。
【００２３】
ラッチピン６は金属線材からなり、図１に示すように、直線状に延設された棒状部６ａを有し、棒状部６ａの両端には、棒状部６ａに対して交差するある方向（Ｚ２方向）へ突出するピン部６ｂが形成されている。なお、ラッチピン６は断面が円形で、撓み難い特性を持った金属線材からなる。
【００２４】
スライダ７は合成樹脂材からなり、図４に示すように、略Ｌ文字型に形成され、内部には一部金属板が埋設されている。スライダ７は直方体状に延出して形成されたベース部７ａを有している。スライダ７は、ベース部７ａの上面（Ｚ１方向側の面）に、溝状に形成されたハートカム部７ｂを有し、ハートカム部７ｂはＺ１方向側からの平面視で略ハートマーク形状に形成され、直線状に設けられた直線部７ｃと環状に設けられた環状部７ｄとを有する。また、ハートカム部７ｂの内部底面には適宜高低差が設けられている。なお、ハートカム部７ｂは、ラッチピン６のピン部６ｂを挿入可能な幅に形成されている。また、Ｚ１方向側から平面視した場合に、スライダ７は、ベース部７ａにおいて、ハートカム部７ｂの直線部７ｃが設けられた側（Ｙ１方向側）の先端部に、ベース部７ａからＸ２方向側へ延設された当接部７ｅを有する。Ｚ１方向側からの平面視にて、当接部７ｅのＹ２方向側の形状は、カードＣＡの挿入方向の先端側の端面に合致する形状に形成されている。また、スライダ７は、ベース部７ａにおいて、ハートカム部７ｂの環状部７ｄが設けられた側（Ｙ２方向側）に付勢部材保持部７ｆを有する。付勢部材保持部７ｆは、ベース部７ａのＸ１方向側に、ベース部７ａと平行となるように、棒状に延出して設けられ、コイルばねである付勢部材８の端部から挿入可能な大きさに形成されている。
【００２５】
ハウジング１０は、図１に示すように、ケース１とカバー２とからなる。ハウジング１０は、図２に示すように、ケース１の上方を覆うようにカバー２を配置し、係合することで形成される。なお、ハウジング１０は、カードＣＡを挿入可能な挿入口１０ｂを有し、挿入口１０ｂの奥には、内部にカードＣＡを収納可能な収納空間１０ａを有している。
【００２６】
カバー２は金属板からなり、図１に示すように、長方形の平板状に形成された天板部２ａと、天板部２ａに対して直角で同一方向に平板状に延設された側壁部２ｂとを有する。なお、側壁部２ｂは、天板部２ａの一方（Ｙ２方向側）を除いた三方に設けられている。
【００２７】
ケース１は、図５に示すように、中空で、上面および１つの側面が開放された直方体状に形成されている。ケース１は、合成樹脂材からなり、内部には金属薄板からなる配線が埋設されている。なお、本実施形態においては、ケース１に埋設された金属薄板の一部が露出して、端子３および第２接点部材５などが形成されている。ケース１は、中空の直方体状に形成され、上面（Ｚ１方向側の面）および１つの側面（Ｙ２方向側の面）が開放された本体部１ａを有している。本体部１ａはカバー２の天板部２ａと側壁部２ｂとに囲まれた空間に挿入可能な大きさに形成されている。本体部１ａの開放された１つの側面は、Ｘ１方向側に側壁を一部残して、カードＣＡを挿入可能な大きさに開放されており、開放された部分は挿入口１０ｂの一部となる取入口１ｂを形成している。取入口１ｂのＸ１方向側に一部残った側壁を規制壁１ｃとすると、本体部１ａの中空状に形成された箇所（中空部１ｋ）には、規制壁１ｃから連続して、規制壁１ｃよりも低い高さのリブ状で、かつ取入口１ｂに対向する側の側面まで直線状に延設された仕切リブ１ｄが形成されている。中空部１ｋは、仕切リブ１ｄを境として、取入口１ｂに直結したカード収納部１ｅと、スライダ収納部１ｆとに分けられている。カード収納部１ｅは、収納空間１０ａの一部であり、カードＣＡを収納可能な大きさに形成されており、カード収納部１ｅの内部底面１ｍには、カードＣＡに対応して、端子３および第２接点部材５が露出して設けられている。また、内部底面１ｍの中付近には、内部底面１ｍを貫通する開口１ｎが形成され、開口１ｎのＹ１−Ｙ２方向側の端部からそれぞれ対応する側へ突出して、外部接続端子１ｇが設けられている。外部接続端子１ｇはＹ１方向側に４本、Ｙ２方向側に３本が設けられている。なお、内部底面１ｍは、図８に示す仮想平面ＶＦに平行な平面状に形成されている。また、スライダ収納部１ｆは、スライダ７のベース部７ａおよび付勢部材保持部７ｆを配置可能な大きさに形成されている。なお、スライダ収納部１ｆのＹ２方向側の側壁（規制壁１ｃ）の上面には、ラッチピン６のピン部６ｂを挿入可能なピン穴１ｈが形成されている。また、本体部１ａのＸ２方向側の側壁には、側壁をＸ１−Ｘ２方向に分割するように、上方（Ｚ１方向側）が開放したスリット状に形成された接点部材配置部１ｐが形成されている。なお、本体部１ａのＸ２方向側の側壁は、接点部材配置部１ｐのＹ１方向側と、接点部材配置部１ｐを分断する位置と、外方へ開放した箇所が設けられている。
【００２８】
端子３は金属薄板からなり、図６に示すように、ケース１のカード収納部１ｅの内部底面１ｍから、カード収納部１ｅに２本一組となって突出して形成されている。なお、端子３は、挿入方向（Ｙ１方向）の手前側が支持端となり挿入方向の奥側が自由端となるようにケース１により片持ち保持されており、自由端側の先端がカード収納部１ｅに突出するとともに、下側に弾性変形可能である。また、本実施形態においては、端子３は取入口１ｂの近くに等間隔に３つ１列に並んで配置されるとともに、取入口１ｂよりも挿入方向の奥側に等間隔に３つ１列に並んで配置され、合計で６つの端子３が、カードＣＡの信号用接点部ＳＴに対応した位置に自由端側の先端が来るように配置されている。なお、端子３と外部接続端子１ｇとはケース１に埋設された部分で電気的に接続されている。挿入方向の奥側に並んだ端子３を、Ｘ１方向側から順番に、端子３ａ、端子３ｂ、端子３ｃとし、挿入方向の手前側に並んだ端子３を、Ｘ１方向側から順番に、端子３ｄ、端子３ｅ、端子３ｆとする。また、同様に、挿入方向の奥側に並んだ外部接続端子１ｇを、Ｘ１方向側から順番に、外部接続端子ｔ１、外部接続端子ｔ２、外部接続端子ｔ３、外部接続端子ｔ４とし、挿入方向の手前側に並んだ外部接続端子１ｇを、Ｘ１方向側から順番に、外部接続端子ｔ５、外部接続端子ｔ６、外部接続端子ｔ７とする。このように端子３および外部接続端子１ｇを定義すると、端子３ａは外部接続端子ｔ１と、端子３ｂは外部接続端子ｔ２と、端子３ｃは外部接続端子ｔ３と、端子３ｄは外部接続端子ｔ５と、端子３ｅは外部接続端子ｔ６と、端子３ｆは外部接続端子ｔ７と、それぞれ電気的に接続されている。
【００２９】
検出スイッチ部５０は、図１に示すように、第１接点部材４と第２接点部材５とを有する。第２接点部材５は金属薄板からなり、図７および図８に示すように、ケース１のカード収納部１ｅの内部底面１ｍから、カード収納部１ｅに突出して形成されている。なお、第２接点部材５は、挿入方向（Ｙ１方向）の手前側が支持端となり挿入方向の奥側が自由端となるようにケース１により片持ち保持されており、自由端側の先端が、収納空間１０ａの一部であるカード収納部１ｅ内に突出するとともに、下側に弾性変形可能である。すなわち、仮想平面ＶＦに平行な平面状に形成された内部底面１ｍに対して交わる方向（下側、Ｚ２方向）に弾性変形可能に支持されている。第２接点部材５は、自由端側に平板状に形成された第２接点部５ａを有し、第２接点部５ａの自由端側および側方側（Ｘ２方向側）には傾斜面部５ｂを有している。傾斜面部５ｂは、第２接点部５ａから離れるにしたがって下方へ向かって傾斜した面を有している。
【００３０】
第１接点部材４は、金属薄板および一部が合成樹脂材から形成されている。第１接点部材４は、図９に示すように、金属板からなる板ばね部材４ａと合成樹脂材からなる当接部材４ｂとからなる。板ばね部材４ａは、図１０に示すように、略平板状に形成された固定部４ｃを有する。また、第１接点部材４は、固定部４ｃに対して一方（Ｘ１方向）へ傾くとともに、固定部４ｃからある方向（Ｙ１方向）へ平板状に延設されるばね部４ｄを有する。固定部４ｃは、下端（Ｚ２方向側端部）から他方（Ｘ２方向）へ突出した接続端子部４ｅを有する。また、ばね部４ｄはばね部４ｄの逆側に、下方へ突出するとともに下面が円筒の外周面状に形成された第１接点部４ｆを有する。当接部材４ｂはばね部４ｄの先端に第１接点部４ｆの上方を覆うように設けられている。なお、第１接点部４ｆは当接部材４ｂの下方へ突出している。当接部材４ｂは、ばね部４ｄに対して一方（Ｘ１方向）へ突出した当接部４ｇを有し、当接部４ｇの固定部４ｃ側の面には、固定部４ｃから離れるほどばね部４ｄから離れるように傾斜した当接面４ｈを有する。
【００３１】
次にカードコネクタ１００の構造について図１１および図１２を用いて説明する。図１１は第１実施形態におけるカードコネクタ１００の構成を示す平面図である。図１２は第１実施形態においてカードＣＡが未挿入時の第１接点部材４と第２接点部材５との接触状態を示す図であり、図１２（ａ）は図１１に示すＣ部を拡大した図であり、図１２（ｂ）は図１２（ａ）に示す断面Ｄ−Ｄを示す断面図である。なお、図１２（ａ）ではカバー２の図示を省略している。
【００３２】
図１１に示すように、付勢部材８は、一端にスライダ７の付勢部材保持部７ｆ（図４参照）を挿入した状態でスライダ７に保持される。また、スライダ７は、当接部７ｅがケース１のカード収納部１ｅに突出するとともに挿入方向奥側（Ｙ１方向側）となるように、ケース１のスライダ収納部１ｆに配置される。このとき、付勢部材８は、スライダ７とスライダ収納部１ｆの挿入方向奥側の側壁とにより挟持され、スライダ７を挿入方向手前側（Ｙ２方向側）へ付勢し、規制壁１ｃに接触させている。なお、スライダ７は付勢部材８の付勢力に抗して挿入方向（Ｙ１−Ｙ２方向）にスライド移動可能である。また、当接部７ｅは端子３の先端部よりも高い位置に配置されるため、当接部７ｅが端子３に接触することなくスライダ７をスライド移動させることができる。ラッチピン６は一方のピン部６ｂをケース１のピン穴１ｈに挿入するとともに、他方のピン部６ｂをスライダ７のハートカム部７ｂ（直線部７ｃ）に挿入した状態で配置される。ラッチピン６はピン穴１ｈに挿入されたピン部６ｂを支点として揺動可能に配置されている。第１接点部材４は板ばね部材４ａの固定部４ｃを接点部材配置部１ｐに挿入した状態で配置される。なお、第１接点部材４は、当接部材４ｂに上部を覆われた第１接点部４ｆが収納空間１０ａの一部であるカード収納部１ｅ内に突出するように配置され、接続端子部４ｅはケース１の外方へ突出している。
【００３３】
また、図１２に示すように、第１接点部４ｆがカード収納部１ｅ内に突出するように配置された第１接点部材４と、カード収納部１ｅに突出して形成されている第２接点部材５とは、第１接点部４ｆと第２接点部５ａとが接触するように配置されている。なお、第１接点部材４に接触した第２接点部材５は下方（Ｚ２方向）へ撓み、第１接点部材４に弾接する。また、カード収納部１ｅ内に突出した第１接点部４ｆを含むばね部４ｄは、カードＣＡの挿入方向に対して平行な仮想平面ＶＦ（内部底面１ｍ）に沿って弾性変形可能である。したがって、接離可能な第１接点部材４と第２接点部材５とを有する検出スイッチ部５０が形成され、外部接続端子ｔ４（１ｇ、図１１参照）と接続端子部４ｅ（図１１参照）とを介して検出スイッチ部５０の導通状態を確認可能となる。
【００３４】
このように各構成部品が配置されたケース１の上方に、カード収納部１ｅおよびスライダ収納部１ｆを覆うように、カバー２を配置する。カバー２をケース１に係止することで、収納空間１０ａおよび挿入口１０ｂを備えたハウジング１０が形成されるとともに、カードコネクタ１００が形成される。このように形成されたカードコネクタ１００は、挿入口１０ｂからカードＣＡを挿入可能であるとともに、収納空間１０ａ内にカードＣＡを収納可能である。
【００３５】
次にカードコネクタ１００の動作について図１２ないし図１５を用いて説明する。
図１３は第１実施形態におけるカードＣＡが挿入途中の状態のカードコネクタ１００を示す平面図である。図１４は第１実施形態におけるカードＣＡが収納された状態のカードコネクタ１００を示す平面図である。図１５は第１実施形態においてカードＣＡを収納時の第１接点部材４と第２接点部材５との位置関係を示す図であり、図１５（ａ）は図１４に示すＥ部を拡大した図であり、図１５（ｂ）は図１５（ａ）に示す断面Ｆ−Ｆを示す断面図である。なお、図１５（ａ）ではカバー２の図示を省略している。
【００３６】
カードＣＡが未挿入時に、カードコネクタ１００は、図１２に示すように、スライダ７は規制壁１ｃに接触した状態で保持され、検出スイッチ部５０は、第１接点部材４と第２接点部材５とが接触しており、電気的な導通が得られている。このような状態を初期状態とする。
【００３７】
挿入口１０ｂ（図１１参照）からカードコネクタ１００にカードＣＡが挿入されると、図１３に示すように、カードＣＡは先端側の一部がスライダ7の当接部７ｅに接触する。カードＣＡは付勢部材８に抗して、スライダ７とともに挿入方向奥側へさらに移動し、先端側の他部が第１接点部材４の当接部４ｇ（当接面４ｈ）に接触する。なお、直線部７ｃ（ハートカム部７ｂ）に挿入されたラッチピン６のピン部６ｂは、スライダ７のスライド移動に合わせて、直線部７ｃに沿って移動する。
【００３８】
カードＣＡがさらに収納空間１０ａに挿入された状態では、図１４に示すように、カードＣＡはスライダ７をさらに奥へ移動させるとともに、カードＣＡの挿入にともない第１接点部材４が内部底面１ｍ（図１１参照）に沿って側方（Ｘ２方向）へ撓み移動する。また、直線部７ｃ（ハートカム部７ｂ）に挿入されたラッチピン６のピン部６ｂは、スライダ７のスライド移動に合わせて、直線部７ｃおよび環状部７ｄに沿って移動し、付勢部材８の付勢力に抗してスライダ７を保持できる位置でロックする。なお、第１接点部材４が側方へ撓み移動することで、図１５に示すように、第１接点部材４と第２接点部材５とが離間するとともに、第２接点部材５はカードＣＡに当接し下方へ撓み、カードＣＡに弾接する。なお、第２接点部材５は、カードＣＡの信号用接点部ＳＴを避けた位置に接触するように配置されている。このように第１接点部材４と第２接点部材５とが離間することで、検出スイッチ部５０の導通状態が切り換わり、カードＣＡが挿入されたことを検知することができる。また、カードＣＡが有する信号用接点部ＳＴは端子３に接触し、カードコネクタ１００を介して、カードＣＡを搭載した電子機器とカードＣＡとの間で電子データなどの送受が可能となる。
【００３９】
なお、スライダ７がロックされた状態から、カードＣＡを再度押し込むと、ロックしていたラッチピン６のピン部６ｂは環状部７ｄに沿って移動し、スライダ７のロックが解除され、初期状態に復帰するとともに、カードＣＡが排出される。なお、カードＣＡが排出されるにともない、第１接点部材４の第１接点部４ｆは収納空間１０ａ内に移動するとともに、第２接点部材５に当接し、第２接点部材５を下方へ撓ませ、第１接点部材４と第２接点部材５とは弾接する。このように、初期状態復帰することで、検出スイッチ部５０の導通状態が切り換わり、カードＣＡが排出されたことを検知することができる。
【００４０】
以下、本実施形態としたことによる効果について説明する。
【００４１】
本実施形態のカードコネクタ１００では、信号用接点部ＳＴを有するカードＣＡを収納可能な収納空間１０ａを有するハウジング１０と、信号用接点部ＳＴに接触可能な端子３と、接離可能な第１接点部材４と第２接点部材５とを有する検出スイッチ部５０と、を備え、検出スイッチ部５０は、カードＣＡが未挿入時に第１接点部材４と第２接点部材５とが接触しており、第１接点部材４は、カードＣＡの挿入方向に対して平行な仮想平面ＶＦに沿って弾性変形可能であるとともに、収納空間１０ａ内に突出するように配置され、カードＣＡの挿入にともない第１接点部材４が移動し、第１接点部材４と第２接点部材５とが離間するカードコネクタであって、第２接点部材５は、第１接点部材４に弾接するように、仮想平面ＶＦに対して交わる方向に弾性変形可能に支持されている、構成とした。
【００４２】
これにより、第１接点部材４は、仮想平面ＶＦに平行なケース１の内部底面１ｍに沿った方向にのみ弾性変形し、第２接点部材５は内部底面１ｍ（仮想平面ＶＦ）に対して交わる方向にのみ弾性変形するようにした。すなわち、第１接点部材４および第２接点部材５がそれぞれ一方向にのみ弾性変形するようにした。そのため、本実施形態に示すように、第１接点部材４および第２接点部材５を板ばね状にすることもでき、簡易に形成することが可能となる。また、内部底面１ｍ（仮想平面ＶＦ）に沿って弾性変形可能な第１接点部材４と、内部底面１ｍ（仮想平面ＶＦ）に対して交わる方向へ弾性変形可能な第２接点部材５とを用いて検出スイッチ部５０を構成することで、第１接点部材４と第２接点部材５との安定した接触を得るために撓み量を大きくしたとしても、第１接点部材４および第２接点部材５の動作を妨げることなく簡易な構造とすることができる。したがって、構造が簡易で安定した導通を得られるカード検出スイッチを備えたカードコネクタを提供することができる。
【００４３】
また、第１接点部材４と第２接点部材５とを用いて検出スイッチ部５０を構成することで、特許文献１に記載のカードコネクタ９００のようにトーションスプリングを使って構成する場合に比べて、省スペース化が可能となり、より小型化することができる、という効果を奏する。
【００４４】
また、本実施形態のカードコネクタ１００では、カードＣＡが未挿入の状態では、第２接点部材５は収納空間１０ａ内に突出して第１接点部材４に弾接するとともに、カードＣＡが挿入された状態では、第２接点部材５はカードＣＡに当接し下方へ撓む、構成とした。
【００４５】
これにより、第２接点部材５はカードＣＡに当接して下方へ撓む構造とすることで、第２接点部材５の自由高さを第１接点部材４との安定した導通を得るために必要な高さに設定したとしても、カードＣＡの挿抜に影響を与えない。また、第２接点部材５の撓み量を増やしたとしてもカードコネクタの高さ方向の寸法を高くする必要も無い。したがって、安定した導通を得られるカード検出スイッチを備え、薄型のカードコネクタを提供することができる、という効果を奏する。
【００４６】
また、本実施形態のカードコネクタ１００では、第２接点部材５の第２接点部５ａのＸ２方向側からＹ１方向側に渡って傾斜面部５ｂを設ける構成とした。このような構成とすることで、カードＣＡが排出され、第１接点部材４が第２接点部材５に当接し、第２接点部材５を下方に撓ませる際に、第１接点部４ｆは傾斜面部５ｂに摺接しながら第２接点部５ａ上に移動することとなる。これにより、第１接点部材４の当接部材４ｂが第２接点部材５に引っ掛かり、検出スイッチ部５０の導通状態が切り換わらなくなることを防ぐことが出来る。
【００４７】
また、本実施形態のカードコネクタ１００では、カードＣＡが挿入された状態において、カードＣＡの信号用接点部ＳＴを避けた位置（例えば信号用接点部ＳＴが形成されていない樹脂部）に接触するように第２接点部材５は配置されている、構成とした。
【００４８】
これにより、信号用接点部ＳＴを避けた位置に接触するように第２接点部材５を配置することで、第２接点部材５がカードＣＡに接触したとしても信号伝送に影響を与えないようにすることができる、という効果を奏する。
【００４９】
以上のように、本発明の実施形態に係るカードコネクタを具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００５０】
[変形例１]
第１実施形態のカードコネクタ１００では、カードＣＡが挿入された状態において、カードＣＡの信号用接点部ＳＴを避けた位置に接触するように第２接点部材５は配置されている、構成とした。このような構成以外に、カードＣＡが信号用接点部ＳＴおよびグランド用接点部ＧＴを有する場合には、信号用接点部ＳＴを避けた位置にグランド用接点部ＧＴを有するカードＣＡが挿入された状態において、グランド用接点部ＧＴに接触するように第２接点部材５は配置されている、構成としてもよい。例えば、カードＣＡが、図３（ｂ）に示すＹ１方向側でかつＸ２方向側に配置された信号用接点部ＳＴの位置にグランド用接点部ＧＴを有している場合（信号用接点部ＳＴは５箇所）である。なお、例示のようなカードＣＡに対応する場合には、第２接点部材５を、図６に示す端子３ｃが設けられている位置に第２接点部材５を配置し、第１接点部材４の配置位置や、撓み量などを第２接点部材５の配置位置に合わせて変更する必要がある。
【００５１】
これにより、信号用接点部ＳＴ以外の樹脂部等の位置や面積が第２接点部材５を接触させるのに不都合があっても、グランド用接点部ＧＴに接触するように第２接点部材５を配置することで、第２接点部材５がカードＣＡに接触したとしてもより確実に信号伝送に影響を与えないようにすることができる、という効果を奏する。
【００５２】
[変形例２]
第１実施形態のカードコネクタ１００では、下方に面して設けられた第１接点部材４の第１接点部４ｆと上面に面して設けられた第２接点部材５の第２接点部５ａとが、第２接点部材５の付勢力により弾接する構成とした。このような構成以外に、例えば、以下のような構成であっても良い。第１接点部４ｆは第１接点部材４の側方に面して設けるとともに、第２接点部５ａは第２接点部材５の側方に面して設けられ、第１接点部材４は、第２接点部材５に弾接するように、仮想平面ＶＦに沿って弾性変形可能支持されるとともに、第２接点部材５は、仮想平面ＶＦに対して交わる方向に弾性変形可能に支持されている構成であっても良い。なお、例示の様な構成とする場合には、検出スイッチ部５０の安定した導通を得るために第１接点部材４の接触圧などを変形する必要がある。
【００５３】
[変形例３]
第１実施形態のカードコネクタ１００では、端子３を６つ（端子３を、１列に３つ、２列分）配置する構成としたが、対応可能なカードＣＡの信号用接点部ＳＴの個数および位置に合わせて先行してもよい。
【符号の説明】
【００５４】
１      ケース
１ａ    本体部
１ｂ    取入口
１ｃ    規制壁
１ｄ    仕切りリブ
１ｅ    カード収納部
１ｆ    スライダ収納部
１ｇ    外部接続端子
１ｈ    ピン穴
１ｋ    中空部
１ｍ    内部底面
１ｎ    開口
１ｐ    接点部材配置部
２      カバー
２ａ    天板部
２ｂ    側壁部
３      端子
３ａ    端子
３ｂ    端子
３ｃ    端子
３ｄ    端子
３ｅ    端子
３ｆ    端子
４      第１接点部材
４ａ    板ばね部材
４ｂ    当接部材
４ｃ    固定部
４ｄ    ばね部
４ｅ    接続端子部
４ｆ    第１接点部
４ｇ    当接部
４ｈ    当接面
５      第２接点部材
５ａ    第２接点部
５ｂ    傾斜面部
６      ラッチピン
６ａ    棒状部
６ｂ    ピン部
７      スライダ
７ａ    ベース部
７ｂ    ハートカム部
７ｃ    直線部
７ｄ    環状部
７ｅ    当接部
７ｆ    付勢部材保持部
８      付勢部材
１０    ハウジング
１０ａ  収納空間
１０ｂ  挿入口
５０    検出スイッチ部
１００  カードコネクタ
ＣＡ    カード
ＧＴ    グランド用接点部
ＳＴ    信号用接点部
ｔ１    外部接続端子
ｔ２    外部接続端子
ｔ３    外部接続端子
ｔ４    外部接続端子
ｔ５    外部接続端子
ｔ６    外部接続端子
ｔ７    外部接続端子
【図１】
2015109231.tif 000003
【図２】
2015109231.tif 000004
【図３】
2015109231.tif 000005
【図４】
2015109231.tif 000006
【図５】
2015109231.tif 000007
【図６】
2015109231.tif 000008
【図７】
2015109231.tif 000009
【図８】
2015109231.tif 000010
【図９】
2015109231.tif 000011
【図１０】
2015109231.tif 000012
【図１１】
2015109231.tif 000013
【図１２】
2015109231.tif 000014
【図１３】
2015109231.tif 000015
【図１４】
2015109231.tif 000016
【図１５】
2015109231.tif 000017
【図１６】
2015109231.tif 000018